(57)【要約】【課題】脚部筋肉や足裏のマッサージ或いは強化に利用されるマッサージ機器に於いて、安全で、対象部位或いは使用目的によって負荷の調整が可能で、且つ運搬時或いは非使用時には分解して省スペース化を図ることが可能な機構が求められていた。【解決手段】台座と、台座に略垂直に固定された複数の高さ調整固定のための穿孔を有する側板と、該側板に対応して高さを調節固定し、上部にローラー軸の受け部を備えた支持板と、マッサージローラーを備えたローラー軸とから構成され、該マッサージローラーを備えたローラー軸は支持板の位置により高さ調整がが可能であり、対象部位或いは使用目的によって負荷の調整が可能なマッサージ機器及びその使用方法を提供する。【選択図】図１
2019198596.tif 000002
【特許請求の範囲】
【請求項１】
脚部筋肉や足裏のマッサージ或いは強化に利用されるマッサージ機器であって、
台座と、台座に略垂直に固定された複数の高さ調整固定のための穿孔を有する側板と、
該側板に対応して高さを調節固定し、上部にローラー軸の受け部を備えた支持板と、
マッサージローラーを備えたローラー軸とから構成され、
該マッサージローラーを備えたローラー軸は支持板の位置により高さ調整がが可能であり、対象部位或いは使用目的によって負荷の調整が可能であることを特徴とする、
マッサージ機器。
【請求項２】
該マッサージローラーは、
該ローラー軸に対し円滑に回転する機構を備えていることを特徴とする、
請求項１記載のマッサージ機器。
【請求項３】
該マッサージローラーが該ローラー軸に対し円滑に回転する機構は、
ベアリングであることを特徴とする、
請求項２記載のマッサージ機器。
【請求項４】
該マッサージローラーは、
該ローラー軸に於いて二分割されていることを特徴とする、
請求項１乃至３の何れか一に記載のマッサージ機器。
【請求項５】
該マッサージローラーは、
さらに外面に突起を有していることを特徴とする、
請求項１乃至４の何れか一に記載のマッサージ機器。
【請求項６】
該側板と支持板は夫々の穿孔を貫通する蝶ネジ或いはボルトにより高さを規定され、
さらに、該蝶ネジ或いはボルトとナットにより、強度を保持するための筋交い部品を固定する固定板を含めて固定されており、
該筋交い部品はＸ字状の形状をなし、全体の強度を保持することを特徴とする、
請求項１乃至５の何れか一に記載のリハビリテーション機器。
【請求項７】
該ローラー軸は、
支持板上部の略Ｕ字型の切り欠き部に載置され、
さらに該略Ｕ字型の切り欠き部の両側にワッシャを備えることを特徴とする、
請求項１乃至６の何れか一に記載のマッサージ機器。
【請求項８】
該台座は、
底面に滑り止めを備えることを特徴とする、
請求項１乃至７の何れか一に記載のマッサージ機器。
【請求項９】
請求項１乃至８に記載のマッサージ機器であって、
各構成部品は分解・組み立て可能であり、
運搬時或いは非使用時には分解して省スペース化を図ることが可能なことを特徴とする、
請求項１乃至８の何れか一に記載のマッサージ機器。
【請求項１０】
脚部筋肉や足裏のマッサージ或いは強化に利用されるマッサージ機器の使用方法であって、
台座と、台座に略垂直に固定された複数の高さ調整固定のための穿孔を有する側板と、
該側板に対応して高さを調節固定し、上部にローラー軸の受け部を備えた支持板と、
マッサージローラーを備えたローラー軸とから構成されたマッサージ機器を用い、
該マッサージローラーを備えたローラー軸は支持板の位置により高さ調整を行い、対象部位或いは使用目的によって負荷の調整を行い、脚部筋肉や足裏のマッサージ或いは強化に利用することを特徴とする、
マッサージ機器の使用方法。
【請求項１１】
該マッサージローラーは、
該ローラー軸に対し円滑に回転する機構を備えていることを特徴とする、
請求項１０記載のマッサージ機器の使用方法。
【請求項１２】
該マッサージローラーが該ローラー軸に対し円滑に回転する機構は、
ベアリングであることを特徴とする、
請求項１１記載のマッサージ機器の使用方法。
【請求項１３】
該マッサージローラーは、
該ローラー軸に於いて二分割されていることを特徴とする、
請求項１０乃至１２の何れか一に記載のマッサージ機器の使用方法。
【請求項１４】
該マッサージローラーは、
さらに外面に突起を有していることを特徴とする、
請求項１０乃至１３の何れか一に記載のマッサージ機器。
【請求項１５】
該側板と支持板は夫々の穿孔を貫通する蝶ネジ或いはボルトにより高さを規定され、
さらに、該蝶ネジ或いはボルトとナットにより、強度を保持するための筋交い部品を固定する固定板を含めて固定されており、
該筋交い部品はＸ字状の形状をなし、全体の強度を保持することを特徴とする、
請求項１０乃至１４の何れか一に記載のリハビリテーション機器の使用方法。
【請求項１６】
該ローラー軸は、
支持板上部の略Ｕ字型の切り欠き部に載置され、
さらに該略Ｕ字型の切り欠き部の両側にワッシャを備えることを特徴とする、
請求項１０乃至１５の何れか一に記載のマッサージ機器の使用方法。
【請求項１７】
該台座は、
底面に滑り止めを備えることを特徴とする、
請求項１０乃至１６の何れか一に記載のマッサージ機器の使用方法。
【請求項１８】
請求項１０乃至１７に記載のマッサージ機器の使用方法であって、
各構成部品は分解・組み立て可能であり、
運搬時或いは非使用時には分解して省スペース化を図ることが可能なことを特徴とする、
請求項１０乃至１７の何れか一に記載のマッサージ機器の使用方法。
【発明の詳細な説明】
【技術分野】
【０００１】
本発明は、脚部筋肉や足裏のマッサージ或いは強化に利用されるマッサージ機器及びその使用方法に関するものである。
【背景技術】
【０００２】
高齢者等にとって健康を維持し寿命を伸ばすためにも足腰の強化は非常に重要である。また、脚部筋肉や足裏のマッサージ或いは強化は、高齢者はもとより多くの人に求められている。それらの需要に応えるため、様々な機器が提案されている。
【０００３】
特許文献１には、足裏マッサージ器の形態が開示されているが、強度を維持した上で運搬時或いは非使用時には分解して省スペース化を図ることが可能な構成とはなっていない。
【先行技術文献】
【特許文献】
【０００４】
【特許文献１】特開２０１３ー１４４５２２号公報
【発明の概要】
【発明が解決しようとする課題】
【０００５】
脚部筋肉や足裏のマッサージ或いは強化は、高齢者はもとより多くの人に求められており、家庭等で手軽にマッサージ或いは強化が行える機器のニーズは高い。
【０００６】
ここで、脚部筋肉や足裏のマッサージ或いは強化に利用されるマッサージ機器に於いて、安全で、対象部位或いは使用目的によって負荷の調整が可能な機構が求められていた。
【０００７】
また、脚部筋肉や足裏のマッサージ或いは強化に利用されるマッサージ機器に於いて、運搬時或いは非使用時には分解して省スペース化を図ることが可能な機構が求められていた。
【課題を解決するための手段】
【０００８】
本発明は、脚部筋肉や足裏のマッサージ或いは強化に利用されるマッサージ機器であって、台座と、台座に略垂直に固定された複数の高さ調整固定のための穿孔を有する側板と、該側板に対応して高さを調節固定し、上部にローラー軸の受け部を備えた支持板と、マッサージローラーを備えたローラー軸とから構成され、該マッサージローラーを備えたローラー軸は支持板の位置により高さ調整が可能であり、対象部位或いは使用目的によって負荷の調整が可能であることを特徴とするマッサージ機器であり、これを用いて対象部位或いは使用目的によって負荷の調整を行い、脚部筋肉や足裏のマッサージ或いは強化に利用することを特徴とするマッサージ機器の使用方法である。
【０００９】
また本発明は、該マッサージローラーが該ローラー軸に対し円滑に回転する機構を備えていることを特徴とし、さらに、該マッサージローラーが該ローラー軸に対し円滑に回転する機構がベアリングであることを特徴とする。
【００１０】
また本発明は、該マッサージローラーが該ローラー軸に於いて二分割されていることを特徴とする。
【００１１】
また本発明は、該マッサージローラーが、さらに外面に突起を有していることを特徴とする。
【００１２】
また本発明は、該側板と支持板は夫々の穿孔を貫通する蝶ネジ或いはボルトにより高さを規定され、さらに、該蝶ネジ或いはボルトとナットにより、強度を保持するための筋交い部品を固定する固定板を含めて固定されており、該筋交い部品はＸ字状の形状をなし、全体の強度を保持することを特徴とする。
【００１３】
また本発明は、該ローラー軸が支持板上部の略Ｕ字型の切り欠き部に載置され、さらに該略Ｕ字型の切り欠き部の両側にワッシャを備えることを特徴とする。
【００１４】
また本発明は、該台座が底面に滑り止めを備えることを特徴とする。
【００１５】
また本発明は、各構成部品が分解・組み立て可能であり、運搬時或いは非使用時には分解して省スペース化を図ることが可能なことを特徴とする。
【発明の効果】
【００１６】
本発明に係るマッサージ機器及びその使用方法は、簡便な構成で対象部位或いは使用目的によって負荷の調整が可能で、さらに、各構成部品が分解・組み立て可能であり、運搬時或いは非使用時には分解して省スペース化を図ることが可能なマッサージ機器及びその使用方法を提供することが出来、その効果は大である。
【図面の簡単な説明】
【００１７】
【図１】図１は、本発明に係るマッサージ機器の一例の正面図である。
【図２】図２は、本発明に係るマッサージ機器の一例の平面図である。
【図３】図３は、本発明に係るマッサージ機器の一例の側面図である。
【図４】図４は、本発明に係るマッサージ機器の使用例を示す図面代用写真である。
【図５】図５は、本発明に係るマッサージ機器のマッサージローラーが外面に突起を有している形態を示す図面代用写真である。
【発明を実施するための形態】
【００１８】
本発明は、脚部筋肉や足裏のマッサージ或いは強化に利用されるマッサージ機器であって、台座と、台座に略垂直に固定された複数の高さ調整固定のための穿孔を有する側板と、該側板に対応して高さを調節固定し、上部にローラー軸の受け部を備えた支持板と、マッサージローラーを備えたローラー軸とから構成され、該マッサージローラーを備えたローラー軸は支持板の位置により高さ調整が可能であり、対象部位或いは使用目的によって負荷の調整が可能であることを特徴とするマッサージ機器であり、これを用いて対象部位或いは使用目的によって負荷の調整を行い、脚部筋肉や足裏のマッサージ或いは強化に利用することを特徴とするマッサージ機器の使用方法である。
【００１９】
また本発明は、該マッサージローラーが該ローラー軸に対し円滑に回転する機構を備えていることを特徴とし、さらに、該マッサージローラーが該ローラー軸に対し円滑に回転する機構がベアリングであることを特徴とする。
【００２０】
また本発明は、該マッサージローラーが該ローラー軸に於いて二分割されていることを特徴とする。
【００２１】
また本発明は、該マッサージローラーが、さらに外面に突起を有していることを特徴とする。
【００２２】
また本発明は、該側板と支持板は夫々の穿孔を貫通する蝶ネジ或いはボルトにより高さを規定され、さらに、該蝶ネジ或いはボルトとナットにより、強度を保持するための筋交い部品を固定する固定板を含めて固定されており、該筋交い部品はＸ字状の形状をなし、全体の強度を保持することを特徴とする。
【００２３】
また本発明は、該ローラー軸が支持板上部の略Ｕ字型の切り欠き部に載置され、さらに該略Ｕ字型の切り欠き部の両側にワッシャを備えることを特徴とする。
【００２４】
また本発明は、該台座が底面に滑り止めを備えることを特徴とする。
【００２５】
また本発明は、各構成部品が分解・組み立て可能であり、運搬時或いは非使用時には分解して省スペース化を図ることが可能なことを特徴とする。
【実施例１】
【００２６】
図１は、本発明に係るマッサージ機器の一例の正面図である。本実施例に於いては、図面に示された形状によりマッサージ機器を構成した。また、図２は、本発明に係るマッサージ機器の一例の平面図であり、図３は、本発明に係るマッサージ機器の一例の側面図である。
【００２７】
本実施例に於いては、台座１と、台座に略垂直に固定された複数の高さ調整固定のための穿孔を有する側板２と、該側板に対応して高さを調節固定し、上部にローラー軸の受け部４を備えた支持板３と、マッサージローラー５を備えたローラー軸６とを備えるようにした。
【００２８】
また、側板２と支持板３は夫々の穿孔を貫通する蝶ネジ或いはボルトにより高さを規定され、さらに、蝶ネジ或いはボルトとナットにより、強度を保持するための筋交い部品８を固定する固定板７を含めて固定されており、筋交い部品８はＸ字状の形状をなし、全体の強度を保持するようにした。また、台座１と側板２を略垂直に固定するための部品９も備えている。
【００２９】
本実施例のマッサージ機器は、簡便な構成で、各構成部品が分解・組み立て可能であり、運搬時或いは非使用時には分解して省スペース化を図ることが可能である。
【００３０】
図４は、本発明に係るマッサージ機器の使用例を示す図面代用写真である。このように、仰臥した姿勢で脚部筋肉のマッサージに利用できる。本実施例では、脹脛の筋肉に用いているが、他の部位にも使用可能であり、椅子に座った姿勢で使用することにより足裏にも使用できる。また、ローラー軸は使用者の体格や椅子の高さなどに合わせて、支持板の位置により高さ調整が可能であり、負荷の調整も可能である。
【００３１】
図５は、本発明に係るマッサージ機器のマッサージローラーが外面に突起を有している形態を示す図面代用写真である。このようなローラーに交換することでも、対象部位或いは使用目的によって負荷の調整を行うことができる。
【００３２】
また本発明に係るマッサージ機器は、ふくらはぎなど足裏以外の脚部のマッサージ或いは強化に利用することも可能であった。
【産業上の利用可能性】
【００３３】
以上述べてきたように、簡便な構成で対象部位或いは使用目的によって負荷の調整が可能で、さらに、各構成部品が分解・組み立て可能であり、運搬時或いは非使用時には分解して省スペース化を図ることが可能なマッサージ機器及びその使用方法を提供することが出来、その産業上の利用可能性は大である。
【符号の説明】
【００３４】
１    台座
２    側板
３    支持板
４    ローラー軸の受け部
５    マッサージローラー
６    ローラー軸
７    固定板
８    筋交い部品
９    台座と側板を略垂直に固定するための部品
【図１】
2019198596.tif 000003
【図２】
2019198596.tif 000004
【図３】
2019198596.tif 000005
【図４】
2019198596.tif 000006
【図５】
2019198596.tif 000007